(57)【特許請求の範囲】
【請求項１】
液晶パネルと、
前記液晶パネルの前面側に設けられた外枠と、
前記液晶パネルの背面側に、前面に開口部を有し、前記開口部の口縁に、前記底ケースの側面から外側に折曲げられた折曲部分を有する底ケースと、
前記外枠と前記底ケースとの間に、前記液晶パネルの端部を支持するセンターシャーシと、
前記底ケースの折曲部分に外縁部が載置された光拡散板と、
前記底ケースの内面に沿って配設され、内部に複数の光源を配置する室を形成し、前記底ケースの底面に対して前面側に傾斜した傾斜面を有する反射板とを備え、
前記光拡散板及び前記反射板は、当該光拡散板の外縁部及び当該反射板の前記傾斜面の先端部が、それぞれ前記センターシャーシと前記底ケースの折曲部分との間に挟まれることにより固定されていることを特徴とする液晶表示装置。
【請求項２】
前記反射板の先端部の上に、前記光拡散板の外縁部が重ねられて配置されていることを特徴とする請求項１に記載の液晶表示装置。
【請求項３】
前記反射板の先端部と前記光拡散板の外縁部は、前記折曲部分と前記液晶パネルを前面に載置する前記センターシャーシの上片とによって挟まれていることを特徴とする請求項２に記載の液晶表示装置。
【発明の詳細な説明】
【技術分野】
【０００１】
本発明は、主に１９インチ以上の比較的大型の液晶表示に適した液晶表示装置に関する
ものである。
【背景技術】
【０００２】
主に１９インチ以上の比較的大型の液晶パネルで、液晶パネルの背面に直下型の蛍光ラ
ンプを収納配置したランプ室を設け、このランプ室と液晶パネルとの間に光拡散板を配置
したものでは、光拡散板をランプ室の外周縁で支持している為、光拡散板の中央が自重に
より湾曲し、液晶パネルの表示品質等に影響を及ぼすという問題がある。一方、上記問題
点を解消すべく、例えば特開平７−５６１４１号公報や、特開２００１−２６６６３４号
公報に示される様に、拡散板やシートの中心部分とその周囲、或いは液晶パネルの略全面
を複数のピン状支持部材で支持したものがあるが、前者の中心部分のみで支持する場合、
液晶パネルの大型化に伴って荷重が中心に集中して変形し、その周囲に配置した支持部材
が機能しないで輝度むらが発生し易いという問題があり、後者の場合には、上記前者の問
題と併せて支持部材の中で実際に機能している部分は数点であり、無駄となる支持部材が
あるという問題がある。
【先行技術文献】
【特許文献】
【０００３】
【特許文献１】特開平７−５６１４１号公報
【特許文献２】特開２００１−２６６６３４号公報
【発明の概要】
【発明が解決しようとする課題】
【０００４】
本発明は、液晶パネルと、前記液晶パネルの前面側に設けられた外枠と、前記液晶パネルの背面側に、前面に開口部を有し、前記開口部の口縁に、前記底ケースの側面から外側に折曲げられた折曲部分を有する底ケースと、前記外枠と前記底ケースとの間に、前記液晶パネルの端部を支持するセンターシャーシと、前記底ケースの折曲部分に外縁部が載置された光拡散板と、前記底ケースの内面に沿って配設され、内部に複数の光源を配置する室を形成し、前記底ケースの底面に対して前面側に傾斜した傾斜面を有する反射板とを備え、前記光拡散板及び前記反射板は、当該光拡散板の外縁部及び当該反射板の前記傾斜面の先端部が、それぞれ前記センターシャーシと前記底ケースの折曲部分との間に挟まれることにより固定されていることを特徴とする。
また、上記において、本発明の液晶表示装置は、前記反射板の先端部の上に、前記光拡散板の外縁部が重ねられて配置されていることを特徴とする。
また、上記において、本発明の液晶表示装置は、前記反射板の前記傾斜面の先端部と前記光拡散板の外縁部は、前記折曲部分と前記液晶パネルを前面に載置する前記センターシャーシの上片とによって挟まれていることを特徴とする。
また、本発明は、ランプ室と、このランプ室内に並列配置した複数の直管状の蛍光ランプと、ランプ室の背面に配置された反射板と、この反射板上で蛍光ランプ間に各々設けられた複数の樹脂製反射材と、蛍光ランプの前面に配設した光拡散板と、この光拡散板の前面に配設した液晶パネルとを備えたものにおいて、反射材の、液晶パネルの略中央部よりコーナー寄りの数箇所に光拡散板等を支持する支持突起を一体的に形成して成るものである。
【課題を解決するための手段】
【０００５】
本発明は、ランプ室と、このランプ室内に並列配置した複数の直管状の蛍光ランプと、
ランプ室の背面に配置された反射板と、この反射板上で蛍光ランプ間に各々設けられた複
数の樹脂製反射材と、蛍光ランプの前面に配設した光拡散板と、この光拡散板の前面に配
設した液晶パネルとを備えたものにおいて、反射材の、液晶パネルの略中央部よりコーナ
ー寄りの数箇所に光拡散板等を支持する支持突起を一体的に形成して成るものである。
【０００６】
又本発明は、支持突起を、液晶パネルの対角線を略３等分する位置に形成して成るもの
である。
【発明の効果】
【０００７】
本発明の構成により、ランプ室に並列配置した複数の蛍光ランプ間に樹脂製の反射材を
配置したものにおいて、この反射材の液晶パネル中央部よりコーナー寄りの数箇所に光拡
散板を支持する支持突起を設けたことで、これら支持部材にて光拡散板等の荷重を略均等
に分散して支持する事が出来、これによりわずかな支持突起で効果的に光拡散板等を支持
し、これらの変形による表示品質の低下を防止する事が出来るものである。
【０００８】
又本発明の構成により、支持突起を液晶パネルの対角線を略３等分する位置に形成した
ことで、光拡散板等のたわみ量が略等しい位置にてこれらを確実に支持し、支持部材が受
ける荷重を略均等に分散し、支持荷重の片寄りによる光拡散板等の変形を防止する事が出
来るものである。
【図面の簡単な説明】
【０００９】
【図１】本発明による実施例を示す分解斜視図である。
【図２】同じく要部の側面縦断面図である。
【図３】同じく要部の側面縦断面図である。
【図４】同じくバックライト装置の平面図である。
【発明を実施するための形態】
【００１０】
本発明の実施例を先ず図１に基づき説明すると、１は例えば１９インチ以上の比較的大
型で横長の液晶表示装置で、バックライト装置２の前面に、大画面に適したＳＴＮ液晶パ
ネルやＴＦＴ液晶パネルにて構成した液晶表示器３を連結して構成している。
【００１１】
一方、上記バックライト装置２は、図２にても示す様に、有底箱状の底ケース４の開口
部５に、板厚が２〜３ｍｍ程度でアクリルやポリカーボネート等の透光性樹脂からなる光
拡散板６を配置していると共に、この光拡散板の前面に集光性シート７・・等を積層した
シート類を配置して構成している。
【００１２】
又、上記底ケース４の開口部５口縁には、該部を外側に向けて折曲して鍔部８を一体形
成し、この鍔部に上記光拡散板６等の外周縁を載置していると共に、上記鍔部８に板金を
略Ｌ字状に折曲成形したセンターシャーシ９をビス１０留めし、このセンターシャーシの
上片１１と上記鍔部８により、上記光拡散板６やシート類を固定している。
【００１３】
更に上記液晶表示器３は、２枚の透明電極付きガラス基板１２，１２の間に液晶を封入
し、かつこれらガラス基板の前後に偏向板や位相差板等の光学シート１３，１３を配置し
て構成した液晶パネル１４を、上記センターシャーシ９の上片１１の前面に載置し、そし
て、断面略Ｌ字状で金属性薄板の成形品から成る外枠１５を上記センターシャーシ９にビ
ス１６・・止めすることで、センターシャーシ９の上片１１と外枠１５の前辺１７との間
に液晶パネル１４を固定して構成している。
【００１４】
又、上記底ケース４の内部にはランプ室１８を区画形成していると共に、底ケース４の
内面には、内表面を光反射率の高い白色系に着色した反射板１９を配置し、かつ上記ラン
プ室１８内部には、冷陰極蛍光管や熱陰極蛍光管等から成る複数の蛍光ランプ２０・・を
横並びにて、所謂直下型に収納配置している。
【００１５】
一方、上記反射板１９の底面上には図３にても示す様に上記蛍光ランプ２０・・間に位
置して、ポリカーボネート等の樹脂材にて成形した断面が三角形状の複数のリフレクタ２
１・・を所定の間隔を置いて並列配置し、これらを背面よりビス２２・・固定し、蛍光ラ
ンプ２０・・から放射された光を光拡散板６に向けて反射する様に構成している。尚、上
記リフレクタ２１・・の材質に高反射グレードを用いることで、液晶パネル１４の輝度を
向上する事ができる。
【００１６】
又、上記リフレクタ２１・・には、図４にても示す様に、上記底ケース４の開口部５の
対角線２３，２３を略３等分する位置に近接する４箇所に、先端を上記光拡散板６の背面
に当接してこれを支持するピン状の支持突起２４・・を一体的に突出形成している。
【００１７】
更に、上記反射板１９のリフレクタ２１・・取付け位置には抜き孔２５・・を穿孔する
と共に、これに対向位置して底ケース４に座押し２６・・を一体に折曲形成し、これら座
押し部分にて上記ビス２２・・固定を行っている。これにより、座押し２６・・にてリフ
レクタ２１・・の位置決めを簡単かつ確実に行う事が出来ると共に、ビス２２・・の締め
付けにより発生する応力による反射板１９の変形を防止し、変形による乱反射による液晶
パネル１４の輝度むら等を防止出来るものである。
【００１８】
上記支持突起２４・・にて、光拡散板６や集光性シート７・・等のシート類を支持する
ことで、これらのたわみ量が略等しい位置にて、光拡散板６等の荷重を略均等に分散させ
て支持突起２４・・にて効率的に支持する事ができ、支持個所の削減に伴う部品点数の削
減によるコストダウンを計る事が出来ると同時に、光拡散板６等の変形による表示品質の
低下等を防止する事が出来るものである。
【００１９】
尚、上記実施例にて示す支持突起２４・・の位置はこれに限定されるものではなく、液
晶パネル１４の大きさ等に応じて適宜設定すれば良い。又、上記実施例では支持突起２４
・・をリフレクタ２１・・に一体成形しているが、これに限定されることなく、例えばリ
フレクタ２１・・の支持突起２４・・形成部分に取付孔を穿孔し、別部材として成形した
支持突起２４・・をビスや接着剤で固定しても良い。
【符号の説明】
【００２０】
６    光拡散板
１４  液晶パネル
１８  ランプ室
１９  反射板
２０  蛍光ランプ
２１  反射材
２４  支持突起
【図１】
0005088714.tif 000002
【図２】
0005088714.tif 000003
【図３】
0005088714.tif 000004
【図４】
0005088714.tif 000005